(57)【要約】【課題】シャッター装置等の電動式開閉扉体を用いて防犯警報装置を構成することによって、構成がシンプルで、設置が容易で、かつコスト面でも優れる防犯警報装置を提供する。【解決手段】建物開口部に設置した電動開閉式扉体を用いた防犯警報装置であって、該防犯警報装置は、該扉体の開閉制御と該防犯警報装置の操作を行なう操作スイッチ兼制御盤と、建物外部に該開口部に位置して設けた検知センサー及び室外側警報手段と、室内に設けた室内側警報手段とを有する。該検知センサーと該室外側警報手段、該室内側警報手段は、該操作スイッチ兼制御盤を介して電気的に連結されており、該検知センサーからの検知信号に基づいて、該室外側警報手段、該室内側警報手段から警報が行なわれる。【選択図】図１
2004062548.tif 000002
【特許請求の範囲】
【請求項１】
建物開口部に設置した電動開閉式扉体を用いた防犯警報装置であって、該防犯警報装置は、該扉体の開閉制御と該防犯警報装置の操作を行なう操作スイッチ兼制御盤と、建物外部に該開口部に位置して設けた検知センサー及び室外側警報手段と、室内に設けた室内側警報手段とを有し、該検知センサーと該室外側警報手段、該室内側警報手段は、該操作スイッチ兼制御盤を介して電気的に連結されており、該検知センサーからの検知信号に基づいて、該室外側警報手段、該室内側警報手段から警報が行なわれることを特徴とする防犯警報装置。
【請求項２】
請求項１において、該扉体はシャッター装置であって、該制御盤はシャッター開閉機の制御盤であることを特徴とする防犯警報装置。
【請求項３】
請求項１，２いずれかにおいて、該室外側警報手段は、防犯灯の点灯あるいは／および警報ブザーを鳴らすことであることを特徴とする防犯警報装置。
【請求項４】
請求項１乃至３いずれかにおいて、該室内側警報手段は、室内灯の点灯、音声発生手段からの音声発生、外部への通報手段からなる群から選択された一つあるいは二つ以上の任意の組み合わせであることを特徴とする防犯警報装置。
【請求項５】
請求項１乃至４いずれかにおいて、該操作スイッチ兼制御盤には、非常ボタンが設けてあり、非常ボタンからの入力に基づいて、室外側警報手段、室内側警報手段からの警報が行なわれることを特徴とする防犯警報装置。
【発明の詳細な説明】
【０００１】
【発明の属する技術分野】
本発明は、電動開閉式の扉体、特に、シャッター装置、を用いた防犯警報装置に関するものである。
【０００２】
【従来の技術】
昨今、住宅への侵入による窃盗や空き巣等の犯罪が増加する傾向にあり、住宅の防犯対策への関心が高まっている。しかしながら、一般の住宅に防犯警報設備を設置することはコスト面での問題がある。また、従来、シャッター装置等の電動式開閉扉体を用いた防犯警報装置は存在しなかった。
【０００３】
【発明が解決しようとする課題】
本発明は、シャッター装置等の電動式開閉扉体を用いて防犯警報装置を構成することによって、構成がシンプルで、設置が容易で、かつコスト面でも優れる防犯警報装置を提供することを目的とするものである。
【０００４】
【課題を解決するための手段】
かかる課題を達成するために本発明が採用した技術手段は、建物開口部に設置した電動開閉式扉体を用いた防犯警報装置であって、該防犯警報装置は、該扉体の開閉制御と該防犯警報装置の操作を行なう操作スイッチ兼制御盤と、建物外部に該開口部に位置して設けた検知センサー及び室外側警報手段と、室内に設けた室内側警報手段とを有し、該検知センサーと該室外側警報手段、該室内側警報手段は、該操作スイッチ兼制御盤を介して電気的に連結されており、該検知センサーからの検知信号に基づいて、該室外側警報手段、該室内側警報手段から警報が行なわれることを特徴とするものである。
【０００５】
好ましい態様では、該扉体はシャッター装置であって、該制御盤はシャッター開閉機の制御盤である。
【０００６】
好ましい態様では、該室外側警報手段は、防犯灯の点灯（点滅を含む）あるいは／および警報ブザーの吹鳴である。
【０００７】
好ましい態様では、該室内側警報手段は、室内灯の点灯、音声発生手段からの音声発生、外部への通報手段からなる群から選択された一つあるいは二つ以上の任意の組み合わせである。音声発生手段としては、「録音された声」、「室内オーディオ機器」、「テレビ」が例示される。外部への通報手段としては、電話からの発信が例示され、発信先は、外出先（例えば、携帯電話）、あるいは、他の緊急連絡先が例示される。
【０００８】
好ましい態様では、該操作スイッチ兼制御盤には、非常ボタンが設けてある。非常ボタンからの入力に基づいて、室外側警報手段、室内側警報手段からの警報が行なわれる。
【０００９】
【発明の実施の形態】
本発明の実施の形態を図面に基づいて説明する。図１は本発明に係るシステムの全体図である。本システムは、電動式開閉扉体として例示する窓シャッター装置と防犯警報装置とから構成されている。窓シャッター装置と防犯警報装置とは操作スイッチ兼制御盤によって制御される。図では、一つの窓シャッター装置のみを示したが、建物に複数の窓シャッターが設置されている場合において、それらを連設して防犯警報装置を構成してもよい。
【００１０】
本システムは、基本的に次の三つの特徴を備えている。▲１▼シャッターの開閉機の制御盤と防犯警報装置の操作部を兼用させる。▲２▼防犯警報装置と室内照明や室内オーディオ機器、テレビ等と連動させる。▲３▼防犯警報装置を利用して、火災や急病を近所に知らせる機能を有する。以下に詳細に説明する。
【００１１】
窓シャッター装置は、窓開口部の左右に設けたガイドレールと、窓開口部の上方に設けたシャッターケースと、窓開口部を開閉するシャッターカーテンと、シャッターケースに内装された図示しない巻取シャフトと、巻取シャフトを回転駆動させる開閉機と、開閉機を制御する制御盤（操作スイッチ兼制御盤）とを有している。
【００１２】
窓開口部の建物外部側には、窓シャッター装置に近接して、超音波センサー、防犯灯、ブザーがそれぞれ設けてあり、超音波センサー、防犯灯、ブザーはそれぞれ操作スイッチ兼制御盤に電気的に連結されている。超音波センサーは窓開口部近傍への侵入者を超音波によって検知するセンサーである。超音波センサーのような非接触型センサーを設けることで、窓やシャッターが壊される前に警報を行なうことができる。超音波センサーが侵入者を検知すると、検知信号が操作スイッチ兼制御盤に送信される。操作スイッチ兼制御盤が検知信号を受信すると、ブザー及び防犯灯に信号を送信して、ブザーを鳴らす共に、防犯灯を点灯させるように構成されている。
【００１３】
室内には、室内灯、音声ユニット及びスピーカー、電話及びアダプタが備えてある。室内灯は、通常、室内に常設されている室内照明を用いることができる。室内に設置されている室内灯、音声ユニット及びスピーカー、電話及びアダプタも、それぞれ操作スイッチ兼制御盤に電気的に連結されている。超音波センサーから検知信号が操作スイッチ兼制御盤に送信されると、操作スイッチ兼制御盤から室内灯に信号が送信され室内灯が点灯して、あたかも人が起きてきたかのように見せる。さらに、音声ユニットから音声（例えば、「誰ですか？」という音声を録音しておき、検知信号に基づいて音声を発生させる）を出して人が居るかのように見せかけ、また、電話を自動発信して自宅の異常を外出先に知らせる（特に、留守時）。さらに、操作スイッチ兼制御盤を室内オーディオ機器やテレビ、ラジオ等と電気的に連結してもよく、超音波センサーから検知信号が操作スイッチ兼制御盤に送信されると、室内オーディオ機器やテレビ、ラジオから音声が流れるようにしてもよい。尚、音声ユニット、スピーカー、アダプタは操作スイッチ兼制御盤に組み込んでもよい。
【００１４】
操作スイッチ兼制御盤は室内に設けてあり、操作スイッチ兼制御盤には、シャッター開閉用のボタン、防犯警報装置の操作スイッチ、非常ボタンが設けてある。シャッター開閉用ボタンは、上昇ボタン、停止ボタン、下降ボタンの押ボタンから構成されており、上昇ボタンを押すと、操作スイッチ兼制御盤から開閉機にＵＰ信号が送られ、開閉機を介してシャッターカーテンを上昇させて窓開口部を開放する。下降ボタンを押すと、操作スイッチ兼制御盤から開閉機にＤＷ信号が送られ、開閉機を介して、シャッターカーテンを下降させて窓開口部を閉鎖する。停止ボタンを押すと、操作スイッチ兼制御盤から開閉機にＳＴＯＰ信号が送られ、開閉機の駆動が停止されて、シャッターカーテンの移動が停止する。
【００１５】
操作スイッチは、防犯装置のモードを選択する機能を有し、操作スイッチの操作によって、本発明に係る防犯システムは、「就寝モード」と「留守番モード」を選択できるように構成されている。
【００１６】
就寝モードは、就寝時に選択するモードである。就寝モード時に、窓シャッターが開いていたら、シャッターを閉める。これは、窓シャッターの閉め忘れの防止のためである。そして、窓シャッターに近寄る者がいた場合には、超音波センサーによってかかる者を侵入者として検知して、ブザーを鳴らすと共に、防犯灯を点灯して侵入者を威嚇する。そして、あたかも人が起きてきたかのように、室内灯を点灯する。住人に対しては、室内灯が点灯することで警報する。
【００１７】
留守番モードは、外出時に家を留守にする場合に選択するモードである。基本的な作動は就寝モードと同じであるが、就寝モードに加えて、次のような機能を備えている。超音波センサーによって侵入者を検知した場合には、音声ユニットに信号が送られ、室内から声（例えば、「誰ですか？」という音声）を出して人が居るかのように見せかける。さらに、室内電話に信号が送られ、電話を自動発進して自宅の異常を外出先（例えば、テレコン機能を用いて携帯電話に発信する）に知らせる。
【００１８】
操作スイッチ兼制御盤には、シャッター開閉用ボタンおよび操作スイッチに加えて、非常ボタンが設けてある。非常ボタンを押すと、ブザーが鳴り、防犯灯、室内灯が点灯して、住宅内での火災や一人暮らし高齢者の急病などを、非常ボタンで近隣の人に異常（救援）を知らせる。さらに、電話回線を介して、所定の連絡先に異常（救援）を知らせるようにしてもよい。また、非常ボタンの押操作に連動させて、シャッターを連続開閉させてもよい。
【００１９】
防犯警報装置の動作について説明する。防犯警報装置は入力として、操作スイッチ（ＯＦＦ、就寝、留守番）、超音波センサー、外部入力（非常ボタン）がある。出力として、Ａ：室内照明、Ｂ：フラッシュ（防犯灯）、Ｃ：ブザー、Ｄ：電話（音声）がある。防犯警報装置が採用する警報モードは、「ブザー吹鳴」および「フラッシュＯＮ」である。非常ボタンからの外部入力があると、操作スイッチの位置に関係なく、外部入力がＯＮでは、Ａ〜ＤまでがＯＮとなり、外部入力がＯＦＦでは、Ａ〜ＤまではＯＦＦとなる。
【００２０】
操作スイッチについて説明する。操作スイッチによって、防犯警報ＯＦＦと防犯警報ＯＮを選択するようになっており、防犯警報ＯＮとしては、「就寝時」と「留守時」を選択できるようになっている。
【００２１】
［ＯＦＦ時］
操作スイッチがＯＦＦ時の場合には、超音波センサーの検知によるセンサー入力があっても出力はない。また、警報モードであった場合でも、出力はＯＦＦとなる。
【００２２】
［就寝位置］
操作スイッチが就寝位置にある場合には、次のような動作を行なう。
▲１▼シャッターが開いている場合には、シャッターを全閉する。尚、シャッター開閉ボタンからの、ＳＴＯＰ、ＵＰ、ＤＷの信号がある場合には、全閉しないで開閉ボタンからの入力が優先される。
▲２▼センサー入力がＯＮとなったら、ブザーを吹鳴する。途中、センサー入力がＯＦＦとなったら、スタートに戻る。
▲３▼センサー入力ＯＮが３秒継続したら、警報モードに入る。
▲４▼警報モードが５秒間継続し、かつ、センサーが５秒間ＯＮを継続したら、室内灯をＯＮする。
▲５▼センサーＯＦＦが３秒間継続したら、警報モードをＯＦＦする。
▲６▼警報モードＯＦＦ後、３秒後室内灯をＯＦＦする。センサーＯＦＦ後、３秒間に再度センサーＯＮしたら、警報モードはＯＮの状態を継続する。
【００２３】
［留守番位置］
操作スイッチが留守番位置にある場合には、次のような動作を行なう。
▲１▼センサー入力がＯＮとなったら、ブザーを吹鳴する。途中、センサー入力がＯＦＦとなったら、スタートに戻る。
▲２▼センサー入力ＯＮが３秒継続したら、警報モードに入る。
▲３▼警報モードが５秒間継続し、かつ、センサーが５秒間ＯＮを継続したら、室内灯Ａ，電話出力ＤをＯＮする。
▲４▼センサーＯＦＦが３秒間継続したら、警報モード、電話ＤをＯＦＦする。
▲５▼警報モードＯＦＦ後、３秒後室内灯をＯＦＦする。センサーＯＦＦ後、３秒間に再度センサーＯＮしたら、警報モードはＯＮの状態を継続する。
【００２４】
【発明の効果】
防犯警報装置の制御を、シャッター開閉機の制御を利用して行なうことにより比較的安価で防犯警報装置を提供することができる。防犯警報装置の取付は、室内灯以外はシャッター取付工事に含めることができる。また、既に設置されている窓シャッター装置に防犯警報装置を後付けすることも容易である。また、シャッターの開閉操作と防犯警報装置の操作とを、一つの操作スイッチ兼制御盤によって行なうので、操作性も良好である。
【図面の簡単な説明】
【図１】本発明の概略を示す全体図である。
【図２】操作スイッチが就寝位置にある場合のフローチャートである。
【図３】操作スイッチが留守番位置にある場合のフローチャートである。
【図１】
2004062548.tif 000003
【図２】
2004062548.tif 000004
【図３】
2004062548.tif 000005